(57)【要約】  画像形成部（１０）を備えた装置本体（２）と、手差し用紙を積載する用紙積載台（７０）と、手差し用紙を一葉ずつ搬送する手差し用紙搬送部（６０）と、張出状態の用紙積載台（７０）に被さる防塵カバー（８０）を備え、防塵カバー（８０）は、ベース側上面部（８１ａ）とベース側側面部（８１ｂ）とを有して用紙積載台（７０）に載置されるベース（８１）と、カバー側上面部（８２ａ）とカバー側側面部（８２ｂ）とを有してベース（８１）に回動可能に連結され、用紙積載台（７０）のベース（８１）が被さらない張出側部分に被さり、張出側において上方へ開く開閉カバー（８２）とを備えた。
2016063708.tif 000002
【特許請求の範囲】
【請求項１】
装置本体内に備えた用紙搬送路上を搬送される用紙に画像を形成する画像形成部と、
前記装置本体の一の外面部に下端を回転可能に支持され上端より開いて張出側が傾斜方向上方となるように所要傾斜したまたは水平な張出状態に設けられた手差し用紙を積載する用紙積載台と、
前記装置本体内の前記用紙積載台に対応する位置に設けられ、前記用紙積載台に積載された前記手差し用紙を一葉ずつ前記用紙搬送路上に搬送する手差し用紙搬送部と、を備えた画像形成装置において、
前記張出状態の前記用紙積載台に被さる防塵カバーを備え、
前記防塵カバーは、前記用紙積載台の前記装置本体側に寄った部分に係止されるベースと、前記ベースに回転可能に連結され張出側において上方へ開く開閉カバーとを有してなり、
前記ベースは、前記張出状態の前記用紙積載台の前記装置本体側に寄った部分の両側部に離脱可能に係止される一対のベース側側面部と、両端が前記一対のベース側側面部を一体に連結しているベース側上面部とを有してなり、
前記開閉カバーは、前記ベース寄りの端部が前記一対のベース側側面部に対し外側に重なる一対のカバー側側面部と、前記一対のカバー側側面部間を閉じているカバー側上面部とを有してなることを特徴とする画像形成装置。
【請求項２】
前記用紙積載台の上面両側部の前記ベースに対応する所要位置には第１の突起が設けられ、
前記一対のベース側側面部の各下端面には、前記第１の突起に対応し前記第１の突起よりも前記装置本体側に第２の突起が設けられ、
前記第２の突起は、前記防塵カバーを持ち上げずに張出方向に移動するときに、前記第１の突起と当接するように設けられていることを特徴とする請求項１に記載の画像形成装置。
【請求項３】
前記ベースは、前記用紙積載台に被さった位置で、前記装置本体内の下向きの面部に密着するように進入する浮き上がり防止用係止凸部を有することを特徴とする請求項１に記載の画像形成装置。
【請求項４】
前記装置本体の前記用紙積載台とは反対側の上部に形成された段部端面部に排紙口が設けられ、前記排紙口の内側に設けられた排紙ローラ対により前記装置本体の前記用紙積載台側の上面部へ排紙するようになっていることを特徴とする請求項１に記載の画像形成装置。
【請求項５】
前記装置本体の前記用紙積載台側の上側に張り出すように排紙受け用延長トレイを備えていることを特徴とする請求項１に記載の画像形成装置。
【請求項６】
前記開閉カバーは、前記排紙受け用延長トレイに近接する位置まで大きく開いた状態に停止するように構成されていることを特徴とする請求項５に記載の画像形成装置。
【請求項７】
前記開閉カバーは、前記排紙受け用延長トレイが張り出さない状態において、前記装置本体の上端に当接させて立て掛け状態に停止するように構成されていることを特徴とする請求項５に記載の画像形成装置。
【請求項８】
前記装置本体内に、前記用紙の裏面に前記画像形成部で画像形成を行うように、前記用紙を反転する用紙反転部を備え、前記用紙反転部における用紙反転の搬送路に、前記手差し用紙搬送部の前記用紙搬送路が交差して、前記用紙反転部が、前記手差し用紙搬送部から搬送される前記手差し用紙を搬送するように構成されていることを特徴とする請求項１に記載の画像形成装置。
【請求項９】
画像形成装置における装置本体の外面部に下端を回転可能に支持され、上端より開いて張出側が傾斜方向上方となるように所要傾斜したまたは水平な張出状態に設けられた手差し用紙を積載する用紙積載台に被さる防塵カバーであって、
前記用紙積載台の前記装置本体側に寄った部分に係止されるベースと、
前記ベースに回転可能に連結され張出側において上方へ開く開閉カバーと、を有し、
前記ベースは、前記張出状態の前記用紙積載台の前記装置本体側に寄った部分の両側部に離脱可能に係止される一対のベース側側面部と、両端が前記一対のベース側側面部を一体に連結しているベース側上面部とを有し、
前記開閉カバーは、前記ベース寄りの端部が前記一対のベース側側面部に対し外側に重なる一対のカバー側側面部と、前記一対のカバー側側面部間を閉じているカバー側上面部とを有することを特徴とする防塵カバー。
【発明の詳細な説明】
【技術分野】
【０００１】
本発明は、防塵カバーを有する手差し給紙機構を備えたプリンタ装置、複写機等の画像形成装置および防塵カバーに関する。
【背景技術】
【０００２】
従来、感光体ドラム上のトナー像を中間転写ベルトに一次転写させ、中間転写ベルト上に転写されたトナー像を用紙に一括して二次転写させる中間転写型の画像形成装置が知られている（例えば特許文献１参照）。【０００３】
ところで、近年、手差し給紙機構が設けられた画像形成装置が存在してきており、手差し給紙トレイである用紙載置台が装置本体から開閉可能に取付けられている。この用紙載置台は、画像形成装置本体が設置されている状況下において、開状態で使用されると、当該箇所からほこり等の異物が内部に侵入する可能性があるので、用紙載置台には、脱着可能に防塵カバーが取付けられている。
【発明の概要】
【発明が解決しようとする課題】
【０００４】
しかしながら、前述した画像形成装置の手差し給紙機構にあっては、防塵カバーが単一の成形体であり、防塵カバー全体を用紙積載台にしっかりと嵌合する構成であるので、防塵カバーの取り付け、取り外しに手間がかかり、また用紙を補給するには、防塵カバーを取り外す必要があるという問題があった。【０００５】
本発明は、上述のような課題を解決するためになされたもので、用紙積載台への防塵カバーの取り付け、取り外しが容易に行えるとともに、取り外すことなく大きく開いた状態に保持できて手差し用紙の補給が容易に行える防塵カバーを有する手差し給紙機構を装備した画像形成装置および防塵カバーを提供することを目的とする。
【課題を解決するための手段】
【０００６】
本発明に係る画像形成装置は、上記目的達成のため、装置本体内に備えた用紙搬送路上を搬送される用紙に画像を形成する画像形成部と、前記装置本体の一の外面部に下端を回転可能に支持され上端より開いて張出側が傾斜方向上方となるように所要傾斜したまたは水平な張出状態に設けられた手差し用紙を積載する用紙積載台と、前記装置本体内の前記用紙積載台に対応する位置に設けられ、前記用紙積載台に積載された前記手差し用紙を一葉ずつ前記用紙搬送路上に搬送する手差し用紙搬送部と、を備えた画像形成装置において、前記張出状態の前記用紙積載台に被さる防塵カバーを備え、前記防塵カバーは、前記用紙積載台の前記装置本体側に寄った部分に係止されるベースと、前記ベースに回転可能に連結され張出側において上方へ開く開閉カバーとを有してなり、前記ベースは、前記張出状態の前記用紙積載台の前記装置本体側に寄った部分の両側部に離脱可能に係止される一対のベース側側面部と、両端が前記一対のベース側側面部を一体に連結しているベース側上面部とを有してなり、前記開閉カバーは、前記ベース寄りの端部が前記一対のベース側側面部に対し外側に重なる一対のカバー側側面部と、前記一対のカバー側側面部間を閉じているカバー側上面部とを有してなることを特徴とする。
【発明の効果】
【０００７】
本発明によれば、用紙積載台への防塵カバーの取り付け、取り外しが容易に行えるとともに、取り外すことなく大きく開いた状態に保持できて手差し用紙の補給が容易に行える防塵カバーを有する手差し給紙機構を装備した画像形成装置および防塵カバーを提供することができる。
【図面の簡単な説明】
【０００８】
【図１】図１は、本発明の一実施の形態に係る画像形成装置の用紙積載台を開いて左斜め上方から見た斜視図である。
【図２】図２は、本発明の一実施の形態に係る画像形成装置の用紙積載台に被せる防塵カバーを左斜め上方から見た斜視図である。
【図３】図３は、本発明の一実施の形態に係る画像形成装置の用紙積載台に防塵カバーを被せて左斜め上方から見た斜視図である。
【図４】図４は、本発明の一実施の形態に係る画像形成装置の用紙積載台に被せた防塵カバーの開閉カバーを開いて左斜め上方から見た斜視図である。
【図５】図５は、本発明の一実施の形態に係る画像形成装置の内部構成を示す概略の縦断側面図である。
【図６】図６は、本発明の一実施の形態に係る画像形成装置の要部である用紙積載台に防塵カバーを取り付ける途中の状態を示す側面図である。
【図７】図７は、本発明の一実施の形態に係る画像形成装置の要部である防塵カバーを示す斜視図である。
【図８】図８は、本発明の一実施の形態に係る画像形成装置の要部である用紙積載台に防塵カバーを取り付けた状態を示す側面図である。
【図９】図９は、本発明の一実施の形態に係る画像形成装置の要部である用紙積載台と防塵カバーとのロック部を示す一部拡大側面図である。
【図１０】図１０は、本発明の一実施の形態に係る画像形成装置の要部である用紙積載台から防塵カバーを取り外す状態を示す側面図である。
【図１１】図１１は、本発明の一実施の形態に係る画像形成装置の要部である用紙積載台と防塵カバーとのロック部の解除状態を示す一部拡大側面図である。
【図１２】図１２は、本発明の一実施の形態に係る画像形成装置の要部である防塵カバーのベースと開閉カバーの支持状態を示す下方から見た斜視図である。
【図１３】図１３は、本発明の一実施の形態に係る画像形成装置の要部である防塵カバーの開閉カバーを排紙受け用延長トレイに干渉しないように開いた状態を示す側面図である。
【図１４】図１４は、本発明の一実施の形態に係る画像形成装置の要部である防塵カバーの開閉カバーを最大に開いた状態を示す側面図である。
【発明を実施するための形態】
【０００９】
以下、本発明の画像形成装置に係る一実施の形態として、四連タンデム型中間転写方式のプリンタ装置に適用した場合について図面を参照して説明する。
【００１０】
まず、図１〜図４を参照して、本実施の形態に係るプリンタ装置１の概略の構成を説明する。プリンタ装置１は、図１に示すように、装置本体２の前側に開かれることにより傾斜状態に張り出す用紙積載台７０を有する。プリンタ装置１は、特に、用紙積載台７０上に積載される用紙を覆うための図２に示す防塵カバー８０を備えていることに特徴がある。図３に示すように、防塵カバー８０は、用紙積載台７０を隠蔽し用紙積載台７０上に積載される用紙に塵埃が堆積するのを防ぐ。防塵カバー８０は、ベース８１と開閉カバー８２とから構成される。プリンタ装置１は、図４に示すように、防塵カバー８０を取り外すことなく、開閉カバー８２を立て掛けた状態に停止させて、用紙補給が行えるようになっている。なお、装置本体２の上面側部２ｈにパネル表示部９１と、操作部９２を備え、その内部に本体制御部９３を備えている。以下、詳細に説明する。
【００１１】
図５に示すように、プリンタ装置１は、装置本体２内に、４色の作像ステーションからなる画像形成部１０と、定着部２５と、給紙部３０と、レジストローラ対３６と、用紙反転部４０と、排紙搬送部５０とを備え、本体制御部９３により制御され、４色のカラー印刷を行うようになっている。
【００１２】
さらに、プリンタ装置１は、排紙搬送部５０が装置本体２の後側上部に形成された段部端面部２ａの排紙口２ｂより排紙し装置本体２の前側上面部２ｃへ送り出すようになっていて、装置本体２の前側上面部２ｃには、排紙搬送部５０より排紙される大サイズの用紙を受ける排紙受け用延長トレイ５５を備えているとともに、装置本体２内の前側に手差し用紙搬送部６０と、装置本体２の前側に開かれることにより張り出す用紙積載台７０と、を備えている。これにより、ユーザは、装置本体２の前側に位置して排紙された印刷済用紙の取り出し作業および手差し用紙の用紙補給作業を行える。
【００１３】
図５に示すように、画像形成部１０は、後述する中間転写ベルト１８の下側展張面（張架面）に沿って並設された４色分の潜像担持体である感光体１１Ｙ，１１Ｍ，１１Ｃ，１１Ｋと、各感光体１１Ｙ，１１Ｍ，１１Ｃ，１１Ｋに１色のトナー像を形成するトナー像形成部１２〜１６と、各感光体１１Ｙ，１１Ｍ，１１Ｃ，１１Ｋに形成したトナー像を担持する中間転写体である中間転写ベルト１８と、中間転写ベルト１８に４層に担持された４色分のトナー像を用紙Ｓに二次転写させる二次転写ローラ２４とを有している。なお、感光体の符号に付記したＹはイエロー、Ｍはマゼンタ、Ｃはシアン、Ｋはブラックを示す。
【００１４】
トナー像形成部１２〜１６は、例えば、イエローの作像ステーションの構成を代表して説明すると、感光体１１Ｙ，１１Ｍ，１１Ｃ，１１Ｋの回りにはその回転方向順に、感光体の表面を帯電させる帯電手段としての帯電器１２Ｙ、露光手段としてのレーザ走査ユニット１３Ｙ、現像手段としての現像ユニット１４Ｙ、感光体１１Ｙ，１１Ｍ，１１Ｃ，１１Ｋに対応して設けられ中間転写ベルト１８の上側展張面（張架面）を感光体１１Ｙ，１１Ｍ，１１Ｃ，１１Ｋに押し付ける一次転写ローラ２３、感光体の表面に付着する転写残トナーを除去する感光体クリーニングユニット１５Ｙ、および感光体の表面を除電する除電手段としてのクエンチングランプ１６Ｙを含んでいる。他色の作像ステーションにおいても同様である。
【００１５】
中間転写ベルト１８は、無端状に形成され、複数の支持部材としての第１〜第３の張架ローラ１９，２０，２１でエンドレス走行可能に支持されている。第２の張架ローラ２０に対向する部位にはベルトクリーニングユニット２２が設けられている。第１の張架ローラ１９に対向する位置には、二次転写ローラ２４が回転フリーに設けられている。二次転写ローラ２４は、用紙Ｓを中間転写ベルト１８に押圧するようになっている。
【００１６】
二次転写位置よりも用紙搬送方向下流側に、この実施の形態では、第１の張架ローラ１９と二次転写ローラ２４の上方位置に、用紙Ｓに転写されたトナー像を定着させる定着部２５が設けられている。
【００１７】
したがって、潜像担持体である感光体１１Ｙ，１１Ｍ，１１Ｃ，１１Ｋの表面にイエロー（Ｙ）、マゼンタ（Ｍ）、シアン（Ｃ）、ブラック（Ｋ）の４色のトナー像が形成され、４色のトナー像が中間転写体である中間転写ベルト１８の外周側表面に４層のトナー像として一次転写され、４層のトナー像が中間転写ベルト１８と二次転写ローラ２４との二次転写位置へ下方から搬送される用紙Ｓに二次転写され、定着部２５によって加熱・加圧されることにより、４層のトナー像が用紙Ｓに定着し、もって印刷が行われるようになっている。
【００１８】
給紙部３０は、装置本体２内の下部に２段に設けられた第１，第２の給紙ホッパ３１，３２と、各給紙ホッパに付設されており、各給紙ホッパに収容された用紙Ｓを１葉ずつ繰り出すピックアップローラ３３および給紙ローラ対３４と、一の給紙ホッパから繰り出された用紙Ｓを上方へ搬送する上送り用紙搬送部としての上送りローラ対３５，３５とを備えている。用紙Ｓは、転写紙又は樹脂フィルムなどからなる。レジストローラ対３６は、二次転写位置である二次転写ローラ２４と中間転写ベルト１８の真下に位置しているとともに、給紙ローラ対３４の上方に位置していて、給紙ローラ対３４により搬送される用紙Ｓを受け継ぎ、該用紙Ｓを二次転写ローラ２４と中間転写ベルト１８との二次転写位置へ搬送するようになっている。
【００１９】
ユーザが、本体制御部９３やネットワーク接続されシステム構成された図示しないＰＣ等の入力端末より、第１，第２の給紙ホッパ３１，３２の中から使用する一の給紙ホッパを選択することにより、選択された給紙ホッパに収容された用紙Ｓが、１葉ずつレジストローラ対３６に引き継がれるように二次転写位置に向かって搬送されるようになっている。
【００２０】
用紙反転部４０として、定着部２５の直ぐ上位置に配列されたガイドローラ対４１と、ガイドローラ対４１の直ぐ上位置に配列された分岐爪４２と、用紙Ｓを分岐爪４２のところから給紙部３０による給紙搬送路よりも装置前側に下降するように案内する複数のガイドローラ対４３と、ガイドローラ対４３の下方側に設けられたスイッチバックローラ対４４と、スイッチバックローラ対４４のところで上送りとなる用紙Ｓをレジストローラ対３６に引き継がれるように搬送する中継ローラ対４５と、を備えている。
【００２１】
分岐爪４２は、下向きの爪先端部４２ａを挟んで前側傾斜面と後側傾斜面を有する楔状であり、図示しないアクチュエータにより爪先端部４２ａを前側または後ろ側に位置される。スイッチバックローラ対４４は、用紙Ｓの搬送に合わせて一方向の所要の間欠回転と他方向の所要の間欠回転とを行うように設けられている。ガイドローラ対４３も用紙Ｓの搬送に合わせて所要の間欠回転を行うように設けられている。
【００２２】
分岐爪４２は、片面印刷モード時には、爪先端部４２ａを前側に位置されることにより、用紙Ｓを、排紙搬送部５０に向かわせるように案内し、また、両面印刷モード時には、片面印刷が終えた時点では、爪先端部４２ａを後側に位置されることにより、用紙Ｓを、用紙反転部４０へ案内し、両面印刷が終えた時点では、爪先端部４２ａを前側に位置されることにより、用紙Ｓを、排紙搬送部５０に向かわせるように案内する。
【００２３】
用紙反転部４０は、片面印刷が終えた時点で分岐爪４２によって案内される用紙Ｓを、複数のガイドローラ対４３でスイッチバックローラ対４４へ案内し、スイッチバックローラ対４４が用紙Ｓの通過直前に回転を停止し反転することで上送りに変え、次いで図示しない反転ガイドにより用紙Ｓを中継ローラ対４５を経由してレジストローラ対３６に受け継ぎ搬送するようになっている。
【００２４】
排紙搬送部５０は、片面印刷モード時、および両面印刷モード時の両面印刷が終えたときに、分岐爪４２によって案内される印刷済の用紙Ｓを、装置本体２内の後部へ案内する複数の排紙用ガイドローラ対５１と、排紙用ベルト搬送部５２と、複数の抑えローラ５３と、装置本体２の後側の段部端面部２ａの内側に設けられた排紙ローラ対５４とを備えている。排紙ローラ対５４は、印刷済の用紙Ｓを装置本体２の前側へ上り勾配の中央傾斜面部２ｄに続く前側上面部２ｃに向けて排紙するようになっている。
【００２５】
装置本体２の中央傾斜面部２ｄには、中央傾斜面部２ｄに収まらない最大サイズの用紙を受け取れるように、引き出し式の排紙受け用延長トレイ５５を備えている。さらに、排紙受け用延長トレイ５５は、装置本体２の前側へ張り出すように引き出された状態から、一部を前側へ開くように延長できる展開式補助トレイ５６を備えている。
【００２６】
以下では、本実施形態の特徴的構成である用紙積載台７０と、手差し用紙搬送機構について図５〜図１４を参照して説明する。
【００２７】
装置本体２の前側外面部２ｆには、用紙積載台７０を収容するための略直方体状の凹部である用紙積載台収容部２ｅが形成されている。用紙積載台収容部２ｅは、下半部が開放されていて、この下半部に、手差し用紙搬送部６０を構成する手差し用紙用ピックアップローラ６１と、手差し用紙用給紙ローラ対６２とが設けられている。
【００２８】
手差し用紙用ピックアップローラ６１は、用紙積載台収容部２ｅに収容されている後述する用紙積載台７０が上端より傾斜した張出状態に開かれたときに、用紙積載台７０に積載された手差し用紙Ｓ２と密着し、手差し用紙Ｓ２を一葉ずつ送り出すようになっている。
【００２９】
手差し用紙用給紙ローラ対６２は、スイッチバックローラ対４４よりも装置前側に位置され、かつ中継ローラ対４５に高さレベルを一致していて、手差し用紙用ピックアップローラ６１により一葉ずつ送り出される手差し用紙Ｓ２を中継ローラ対４５に受け継がれるように搬送する。すなわち、本実施形態は、用紙反転部４０が装置本体２内の前側に配設される両面印刷タイプであるので、手差し用紙用ピックアップローラ６１の直ぐ上で、用紙反転部４０の用紙搬送路に手差し用紙用給紙ローラ対６２の搬送路が交差することにより、手差し用紙搬送部６０が用紙反転部４０に手差し用紙Ｓ２を受け渡すようになっている。用紙反転部４０は、用紙反転部４０における用紙反転の搬送路に、手差し用紙搬送部６０の用紙搬送路が交差して、手差し用紙搬送部６０から搬送される手差し用紙Ｓ２についても、中継ローラ対４５に受け継いで搬送するように構成されている。
【００３０】
用紙積載台７０は、用紙積載台収容部２ｅを全閉して装置本体２の前側外面部２ｆと面一となる台板７１と、台板７１の内面部（張出時上面部）に幅方向に位置決め可能に付設され、台板７１上に積載する手差し用紙Ｓ２の幅方向の位置決めを行う手差し用紙規制板対７２と、台板７１の内面両側端部を保持するように設けられ、台板７１を上端より外側に開いたときに傾斜状態に保持する一対の台板保持部７３と、傾斜状態の台板７１上に積載する手差し用紙Ｓ２の先端部上面が手差し用紙用ピックアップローラ６１に密着するように、図示しないばねにより持ち上げられて手差し用紙Ｓ２の先端部下面を上方へ押圧する押上板７４と、を備えている。
【００３１】
台板７１は、この実施の形態では、台板本体７１ａの上面両側部に設けられた第１のガイド枠７１ｂに保持されて台板本体７１ａに重なっていて、引き出される第１の延長台板７１ｃと、第１の延長台板７１ｃに設けられた第２のガイド枠７１ｄに保持されて第１の延長台板７１ｃに重なっていて、引き出される第２の延長台板７１ｅと、を備え、第１，第２の延長台板７１ｃ，７１ｅが引き出された状態では、大サイズの用紙を載せられるようになっている。なお、延長台板を二段伸縮式ではなく、一段伸縮式に備えてもよい。
【００３２】
台板保持部７３は、台板７１上に積載する手差し用紙Ｓ２が重力作用で滑り出す傾斜角よりも小さい傾斜角で傾斜する傾斜状態に台板７１を保持するように構成されている。この実施の形態では、台板保持部７３は、台板７１が用紙積載台収容部２ｅを全閉した状態のときに、台板７１の下端部の内側に対向した位置に設けられ、台板７１が開かれるときに台板７１の下端部を凹面部で受け止めて内方へ僅かに滑らせた位置に支持する支持ブロック７３ａと、用紙積載台収容部２ｅ内の下部両側部に設けられた円弧溝付ガイド７３ｂと、台板７１の内面側端部に固定された円弧状ガイドスリットを有するカム板７３ｃと、両端にカムフォロアを備えていてカムフォロアを円弧溝付ガイド７３ｂの円弧溝およびカム板７３ｃの円弧状ガイドスリットに案内されることにより揺動しつつ円弧溝付ガイド７３ｂとカム板７３ｃとを連結している揺動リンク７３ｄと、を備えている。
【００３３】
この構成により、台板保持部７３の上端を把持し若干持ち上げると、台板７１の下端部が支持ブロック７３ａより若干上に位置する状態になる。この状態で、台板保持部７３の上端を外方へ開くと、台板７１の下端部が支持ブロック７３ａの凹面部で受け止められる状態になり、その後、台板７１は、台板７１の下端部と支持ブロック７３ａの凹面部との摺動部分が回転中心となり傾斜していく。このため、台板７１の下端部は、装置本体２の内方へ大きく入り込むことがない。
【００３４】
なお、台板保持部は、このような内部仕舞い込み構造ではなく、装置本体２の外面に張出状態に設けられる支持台等であってもよい。また、台板保持部は、台板７１を水平状態に保持する構成であってもよい。
【００３５】
図３、図５に示すように、防塵カバー８０は、張出状態の用紙積載台７０に被せられ、用紙積載台７０に載置される手差し用紙Ｓ２に塵埃が落ちるのを防ぐ役目を果たす。
【００３６】
図５〜図７に示すように、防塵カバー８０は、用紙積載台７０の装置本体２側に寄った部分に取り外し可能な固定状態に載置されるベース８１と、ベース８１が被さらない大きな面積を有する張出側部分に被さり、張出端側より上方へ開いて停止する開閉カバー８２と、を備えている。
【００３７】
ベース８１は、透明または半透明のプラスチック成形体であって、ベース側上面部８１ａと、一対のベース側側面部８１ｂとを有し、張出状態の用紙積載台７０の装置本体２側に寄った部分に跨った状態に装着される。ベース側上面部８１ａは、用紙積載台７０の装置本体２側に寄った部分に被さっているだけでなく、用紙積載台収容部２ｅ内に水平に入り込んで用紙積載台収容部２ｅを形成している正面壁２ｇに当接するまで延びていて、当接点から垂下部８１ｃが延在しており、さらに、垂下部８１ｃの下端より用紙積載台収容部２ｅを形成している正面壁２ｇの下端面（本発明の装置本体内の下向きの面部に対応している）に係合する浮き上がり防止用凸部８１ｄが設けられている。
【００３８】
これにより、ベース８１の位置決めが行えるとともに、外方から用紙積載台収容部２ｅの下部を通して装置本体２の内部が見えてここから異物の混入が生じてしまうことが回避されるようになっている。
【００３９】
一対のベース側側面部８１ｂは、台板本体７１ａの両側部に設けられた一対のカム板７３ｃの両外側に被さり、下端面より台板本体７１ａに向かって突出する第２の突起８１ｅが、台板本体７１ａの上面部の両側端部に当接するように台板本体７１ａに載置される。各第２の突起８１ｅに対応するように、台板本体７１ａの上面部の両側部には、第２の突起８１ｅよりも張出側に第１の突起７１ｆが設けられている。一対のベース側側面部８１ｂの下端面には、装置本体２側の端部と張出側の端部に着座部８１ｆ，８１ｆが設けられている。この着座部８１ｆ，８１ｆは、第２の突起８１ｅとともに台板本体７１ａの上面部の両側端部に当接し、接触面圧を低くしている。
【００４０】
図５〜図７に示すように、開閉カバー８２は、透明または半透明のプラスチック成形体であって、カバー側上面部８２ａと、一対のカバー側側面部８２ｂと、正面部８２ｃとを有し、傾斜した張出状態の台板本体７１ａから、さらに第１，第２の延長台板７１ｃ，７１ｅが延長している状態である用紙積載台７０に対し、ベース８１が被さらない張出側部分に被さる形状である。ベース８１のベース側上面部８１ａには、開閉カバー８２が用紙積載台７０に被さった位置で、開閉カバー８２のカバー側上面部８２ａに当接して開閉カバー８２を支持する支持用突起８１ｈを有している。これにより、カバー側上面部８２ａが台板本体７１ａに積載される手差し用紙Ｐ２から上方に数ｍｍないし十数ｍｍ離間した状態になるように、開閉カバー８２がベース８１に支持される。カバー側上面部８２ａの張出端に上方から下向きの外力が加わる場合、外力は、支持用突起８１ｈを介してベース８１に伝わる。ベース８１は、浮き上がり防止用凸部８１ｄを備えていて、浮き上がり防止機能を有しているので、外力によって不意に防塵カバー８０が外れてしまうという恐れはない。なお、ベース８１の台板本体７１ａからの浮き上がりを防止する他のロック手段としての係止凹部と係止凸部を、一対のベース側側面部８１ｂと台板本体７１ａとの間に設けてもよい。
【００４１】
図１２に示すように、カバー側上面部８２ａの装置本体２寄りの端部８２ａ１は、ベース側上面部８１ａの張出側部分に形成された樋状凹部８１ｇに落ち込むように若干屈曲して対応している。開閉カバー８２の一対のカバー側側面部８２ｂは、ベース側側面部８１ｂの外側に近接状態に重なっている。図５、図６、図１２に示すように、ベース８１の一対のベース側側面部８１ｂの張出側に寄った上部において、ベース８１に対して開閉カバー８２を回転可能に連結する連結部８２ｄが設けられている。この連結部８２ｄは、この実施の形態では、カバー側側面部８２ｂとベース側側面部８１ｂとに分配される軸と軸受とで構成されている。したがって、開閉カバー８２は、ベース８１に対し連結部８２ｄを回転中心として張出側において上方へ開くようになっている。
【００４２】
ここで、図５、図６、図８〜図１１を参照し、第２の突起８１ｅと第１の突起７１ｆと上述した浮き上がり防止用凸部８１ｄとの位置関係をベース８１の着脱と関連させて説明する。
【００４３】
まず、ベース８１を取り付ける場合を説明する。図６に示すように、垂下部８１ｃが正面壁２ｇに当接する直前で、かつ浮き上がり防止用凸部８１ｄが正面壁２ｇの下端面に係合する直前の位置にベース８１が位置されるとき、図９中に点線で示すように、第２の突起８１ｅが第１の突起７１ｆよりも装置本体２側に来るように設けられていて、第２の突起８１ｅが、第１の突起７１ｆに干渉しないで台板本体７１ａに載置される。次に、図５に示すように、垂下部８１ｃが正面壁２ｇに当接し、かつ、浮き上がり防止用凸部８１ｄが正面壁２ｇの下端面に係合するようにベース８１が移動されると、この移動量Ｘだけ第２の突起８１ｅが、第１の突起７１ｆより装置本体２側に離間する。図５に示す状態では、浮き上がり防止用凸部８１ｄが正面壁２ｇの下端面に係合しているから、開閉カバー８２の張出端を下方へ押圧することにより生じるベース８１を浮き上げる外力がベース８１に作用しても、ベース８１が浮き上がることなく用紙積載台７０に組み付けられている。
【００４４】
次に、ベース８１を取り外す場合を説明する。図５に示す状態から、ベース８１を張出側へ台板本体７１ａに沿って移動させると、浮き上がり防止用凸部８１ｄが正面壁２ｇの下端面から外れる。一方、図８、図９に示すように、第２の突起８１ｅが第１の突起７１ｆに当接する。このため、それ以上に、ベース８１を張出側へ台板本体７１ａに沿って移動させることができなくなる。したがって、ベース８１に対し不用意に張出側に移動する外力が作用しても、ベース８１が装着位置から離脱することがない。ベース８１を台板本体７１ａから取り外すには、図１０、図１１に示すように、第２の突起８１ｅが第１の突起７１ｆに当接する位置でベース８１を持ち上げることにより、第２の突起８１ｅを第１の突起７１ｆよりも上側に位置させてから、ベース８１を張出側に移動する。なお、これらの着脱操作は、ベース８１を把持しないで、ベース８１と開閉カバー８２の回転支点付近を挟持して行うことができる。
【００４５】
図１３に示すように、開閉カバー８２は、上側の排紙受け用延長トレイ５５に近接する位置まで大きく開いた状態に停止するように構成されている。この実施の形態では、ベース８１と開閉カバー８２には、開閉カバー８２の回転中心よりも装置本体２側に互いに離れてベース側係止用凸部８１ｉおよびカバー側係止用凸部８２ｅを有している。ベース側係止用凸部８１ｉとカバー側係止用凸部８２ｅとは、開閉カバー８２が上側の排紙受け用延長トレイ５５に近接して停止する位置よりも若干手前で相手側の傾斜面を互い乗り上げるように当接する。開閉カバー８２をさらに開くと、一対のベース側側面部８１ｂが若干広がるように撓むことにより、カバー側係止用凸部８２ｅがベース側係止用凸部８１ｉを乗り越えることができる。開閉カバー８２から手を離すと、カバー側係止用凸部８２ｅがベース側係止用凸部８１ｉを乗り越えた位置でベース側係止用凸部８１ｉに当接するので、上側の排紙受け用延長トレイ５５に近接する位置まで大きく開いた状態に停止するようになっている。なお、カバー側係止用凸部８２ｅとベース側係止用凸部８１ｉに替えて、離脱可能に係合する一対の凹部と凸部を、上側の排紙受け用延長トレイ５５に近接する位置まで大きく開いたときに互いに対応して係合するように、ベース８１と開閉カバー８２との対向面に分配して設けてもよい。
【００４６】
図１４に示すように、開閉カバー８２は、排紙受け用延長トレイ５５が張り出さない状態において、装置本体２の上端に当接させて立て掛け状態に停止するように構成されている。この実施の形態では、排紙受け用延長トレイ５５が張り出さない状態において、開閉カバー８２が開けられ装置本体２の上端に立て掛けられる状態になるときの、開閉カバー８２の重心の位置が、開閉カバー８２の回転中心の位置よりも装置本体２側に寄っているように開閉カバー８２が形成されていることにより、開閉カバー８２を装置本体２の上端に当接させて立て掛け状態に停止するように構成されている。なお、離脱可能に係合する一対の凹部と凸部を、開閉カバー８２と装置本体２の上端とが当接する各部に分配して備えることにより、開閉カバー８２を立て掛け状態に停止するようになっていてもよい。
【００４７】
上述した本実施の形態に係るプリンタ装置１によれば、頑丈な構成で用紙積載台７０への取り付け、取り外しが容易に行えるとともに、取り外すことなく大きく開いた状態に保持できて手差し用紙Ｓ２の補給が容易に行える防塵カバー８０を有する。すなわち、防塵カバー８０は、ベース８１と開閉カバー８２とで頑丈に構成でき、ベース８１を用紙積載台７０へ差し込むようにするだけで組み付けることができ、また、開閉カバー８２のみを大きく開けるので、手差し用紙Ｓ２の補給が容易に行える。
【００４８】
また、本実施の形態に係るプリンタ装置１によれば、ユーザによる取り外しを意図しない操作として、例えば、用紙補給時に開閉カバー８２の開閉操作が行われた際に、防塵カバー８０が外れにくくなっている。すなわち、防塵カバー８０を張出側へスライドさせただけでは、ベース８１側に設けられた第２の突起８１ｅが用紙積載台７０側に設けられた第１の突起７１ｆに当接するので取り外せず、ベース８１を持ち上げてから外方へスライドさせると、第２の突起８１ｅが第１の突起７１ｆに対し上側に迂回することになって取り外すことができる。この点、従来のプリンタ装置にあっては、防塵カバーの取り外しの操作性については何ら考慮されていなかった。
【００４９】
また、本実施の形態に係るプリンタ装置１によれば、ベース８１が本体装置２へ差し込まれた状態に用紙積載台７０へ載置されたときに、浮き上がり防止用凸部８１ｄが装置本体２内の下向きの面部に密着し、ベース８１が用紙積載台７０から浮き上がらないようになっているので、開閉カバー８２の張出端に下向きの外力が加わっても、ベース８１が用紙積載台７０から外れて防塵カバー８０が用紙積載台７０から脱落するという恐れがない。
【００５０】
また、本実施の形態に係るプリンタ装置１によれば、装置本体２の用紙積載台７０側の上側に張り出すように排紙受け用延長トレイ５５を備えたことにより、プリンタ装置１の前側で排紙の取り出し作業と用紙補給作業が行えて、操作性が向上する。さらに、用紙積載台７０側の上側に排紙受け用延長トレイ５５を備えても、用紙積載台７０への用紙補給時には、開閉カバー８２を大きく開いた状態に自立できる構成であり、従来のプリンタ装置における用紙補給時の煩わしさ、すなわち、用紙補給に際し開閉カバーを一方の手で立て掛け状態に保持し、他方の手で用紙補給を行わなければならないという煩わしさを解消することができる。
【００５１】
さらに、本実施の形態に係るプリンタ装置１によれば、防塵カバーの着脱が不可能な従来のプリンタ装置に比較して、装置本体に防塵カバーを収容するスペースを設ける必要がないので、小型化することができる。
【００５２】
（その他の実施の形態）
本発明は、上記の実施の形態に限定されるものでなく、特許請求の範囲に記載された本発明の技術的範囲には、発明の要旨を逸脱しない範囲内で種々、設計変更した形態が含まれる。
【００５３】
本発明の画像形成装置は、用紙積載台への防塵カバーの取り付け、取り外しが容易に行えるとともに、取り外すことなく大きく開いた状態に保持できて手差し用紙の補給が容易に行える防塵カバーを有するという効果を有し、防塵カバーを有する手差し給紙機構を装備したプリンタ、複写機等の画像形成装置の全般に有用である。
【符号の説明】
【００５４】
１  プリンタ装置（画像形成装置）
２  装置本体
２ａ  段部端面部
２ｂ  排紙口
１０  画像形成部
４０  用紙反転部
５４  排紙ローラ対
５５  排紙受け用延長トレイ
６０  手差し用紙搬送部
７０  用紙積載台
７１ａ  台板本体
７１ｆ  第１の突起
７３ａ  支持ブロック
８０  防塵カバー
８１  ベース
８１ａ  ベース側上面部
８１ｂ  ベース側側面部
８１ｄ  浮き上がり防止用凸部
８１ｅ  第２の突起
８１ｈ  支持用突起
８２  開閉カバー
８２ａ  カバー側上面部
８２ｂ  カバー側側面部
Ｓ  用紙
Ｓ２  手差し用紙
【先行技術文献】
【特許文献】
【００５５】
【特許文献１】特開２００９−２６５２４９号公報
【図１】
2016063708.tif 000003
【図２】
2016063708.tif 000004
【図３】
2016063708.tif 000005
【図４】
2016063708.tif 000006
【図５】
2016063708.tif 000007
【図６】
2016063708.tif 000008
【図７】
2016063708.tif 000009
【図８】
2016063708.tif 000010
【図９】
2016063708.tif 000011
【図１０】
2016063708.tif 000012
【図１１】
2016063708.tif 000013
【図１２】
2016063708.tif 000014
【図１３】
2016063708.tif 000015
【図１４】
2016063708.tif 000016
【手続補正書】
【提出日】平成28年2月19日(2016.2.19)
【手続補正１】
【補正対象書類名】特許請求の範囲
【補正対象項目名】全文
【補正方法】変更
【補正の内容】
【特許請求の範囲】
【請求項１】
装置本体内に備えた用紙搬送路上を搬送される用紙に画像を形成する画像形成部と、
前記装置本体の一の外面部に下端を回転可能に支持され上端より開いて張出側が傾斜方向上方となるように所要傾斜したまたは水平な張出状態に設けられた手差し用紙を積載する用紙積載台と、
前記装置本体内の前記用紙積載台に対応する位置に設けられ、前記用紙積載台に積載された前記手差し用紙を一葉ずつ前記用紙搬送路上に搬送する手差し用紙搬送部と、を備えた画像形成装置において、
前記張出状態の前記用紙積載台に被さる防塵カバーを備え、
前記防塵カバーは、前記用紙積載台に係止されるベースと、前記ベースに回転可能に連結され張出側において上方へ開く開閉カバーとを有する画像形成装置。
【請求項２】
前記ベースは、前記張出状態の前記用紙積載台の両側部に離脱可能に係止される一対のベース側側面部と、両端が前記一対のベース側側面部を一体に連結しているベース側上面部とを有する請求項１に記載の画像形成装置。
【請求項３】
前記開閉カバーは、前記ベース寄りの端部が前記一対のベース側側面部に対し外側に重なる一対のカバー側側面部と、前記一対のカバー側側面部間を閉じているカバー側上面部とを有する請求項２に記載の画像形成装置。
【請求項４】
前記用紙積載台の上面両側部の前記ベースに対応する所要位置には第１の突起が設けられ、
前記一対のベース側側面部の各下端面には、前記第１の突起に対応し前記第１の突起よりも前記装置本体側に第２の突起が設けられ、
前記第２の突起は、前記防塵カバーを持ち上げずに張出方向に移動するときに、前記第１の突起と当接するように設けられている請求項２または３に記載の画像形成装置。
【請求項５】
前記ベースは、前記用紙積載台に被さった位置で、前記装置本体内の下向きの面部に密着するように進入する浮き上がり防止用係止凸部を有する請求項１〜３のいずれか一つに記載の画像形成装置。
【請求項６】
前記装置本体の前記用紙積載台とは反対側の上部に形成された段部端面部に排紙口が設けられ、前記排紙口の内側に設けられた排紙ローラ対により前記装置本体の前記用紙積載台側の上面部へ排紙する請求項１〜３のいずれか一つに記載の画像形成装置。
【請求項７】
前記装置本体の前記用紙積載台側の上側に張り出すように排紙受け用延長トレイを備えている請求項１〜３のいずれか一つに記載の画像形成装置。
【請求項８】
前記開閉カバーは、前記排紙受け用延長トレイに近接する位置まで大きく開いた状態に停止するように構成されている請求項７に記載の画像形成装置。
【請求項９】
前記開閉カバーは、前記排紙受け用延長トレイが張り出さない状態において、前記装置本体の上端に当接させて立て掛け状態に停止するように構成されている請求項７に記載の画像形成装置。
【請求項１０】
前記装置本体内に、前記用紙の裏面に前記画像形成部で画像形成を行うように、前記用紙を反転する用紙反転部を備え、前記用紙反転部における用紙反転の搬送路に、前記手差し用紙搬送部の前記用紙搬送路が交差して、前記用紙反転部が、前記手差し用紙搬送部から搬送される前記手差し用紙を搬送するように構成されている請求項１〜３のいずれか一つに記載の画像形成装置。
【請求項１１】
前記ベースは、前記用紙積載台の前記装置本体側に寄った部分に係止される請求項１〜３のいずれか一つに記載の画像形成装置。
【請求項１２】
画像形成装置における装置本体の外面部に下端を回転可能に支持され、上端より開いて張出側が傾斜方向上方となるように所要傾斜したまたは水平な張出状態に設けられた手差し用紙を積載する用紙積載台に被さる防塵カバーであって、
前記用紙積載台に係止されるベースと、
前記ベースに回転可能に連結され張出側において上方へ開く開閉カバーと、を有する防塵カバー。
【請求項１３】
前記ベースは、前記張出状態の前記用紙積載台の両側部に離脱可能に係止される一対のベース側側面部と、両端が前記一対のベース側側面部を一体に連結しているベース側上面部とを有する請求項１２に記載の防塵カバー。
【請求項１４】
前記開閉カバーは、前記ベース寄りの端部が前記一対のベース側側面部に対し外側に重なる一対のカバー側側面部と、前記一対のカバー側側面部間を閉じているカバー側上面部とを有する請求項１３に記載の防塵カバー。
【請求項１５】
前記ベースは、前記用紙積載台に被さった位置で、前記装置本体内の下向きの面部に密着するように進入する浮き上がり防止用係止凸部を有する請求項１２〜１４のいずれか一つに記載の防塵カバー。
【請求項１６】
前記装置本体の前記用紙積載台側の上側に張り出すように排紙受け用延長トレイを備え、
前記開閉カバーは、前記排紙受け用延長トレイに近接する位置まで大きく開いた状態に停止するように構成されている請求項１２〜１４のいずれか一つに記載の防塵カバー。
【国際調査報告】
2016063708.tif 000017
2016063708.tif 000018